(57)【特許請求の範囲】
【請求項１】
収納物充填後の袋を口を上にした状態で懸吊状に挟持して搬送する前後一対の無端状のキャリヤチェーンと、このキャリヤチェーンで搬送される袋の上端部を馬形状にテーピングするテーピング機構とを備えた袋の封鎖装置において、上記テーピング機構の前段の装置本体位置に袋の上端部を折返す折返し機構が設けられ、この折返し機構が、袋の上端部に折返し用の筋目を水平状に付ける前後一対のローラと、このローラで付けられた筋目を介して袋の上端部を折返す折曲げホーマーと、キャリヤチェーンに連動して前後一対のローラを回転させる伝動機構とを備えて形成され、上記のローラが、周面にエッジが鍔状に形成された一方のローラと、このローラの上記エッジが係合する溝が周面に環状に形成された他方のローラとでなることを特徴とする袋の封鎖装置。
【発明の詳細な説明】
【０００１】
【産業上の利用分野】
本発明は、袋の封鎖装置に関し、更に詳しくは例えば粉末状や粒状の収納物を充填した袋を封鎖する装置の改良に関するものである。
【０００２】
【従来の技術】
従来この種装置としては、例えば収納物充填後の袋を口を上にした状態で懸吊状に挾持して搬送する前後一対の無端状のキャリヤチェーンと、このキャリヤチェーンで搬送される袋の上端部を馬形状にテーピングするテーピング機構と、このテーピング機構の例えば後段の装置本体位置に配置されてテーピングされた袋の上端部を縫う縫合機構とを備えて形成されたものがある。
【０００３】
【発明が解決しようとする課題】
ところでこの種装置では、開封時等に不純物が袋内に入ることを防止でき、又開封作業を不便にすることなく封鎖状態を堅固且つ確実にできるのが望ましい。なぜなら不純物が侵入すると、充填物が例えば食品や化学薬品等の場合に衛生上の問題や品質の低下の問題をきたすからであり、又封鎖状態が脆弱であると、運搬時や保管時等に生じる振動や衝撃等で充填物が漏出するという問題を生じるからである。
しかるに従来のこの種装置の場合は、上記の如くテーピングと縫合作用とで封鎖するのが通例であったから、従来品によると開封時等にミシン糸を引き抜く際、ほつれた糸屑が袋内に侵入するのを避けられないという問題点があった。
又従来装置の場合は、上記の如く、テーピングとミシン糸とで封鎖する為、袋の封鎖状態は堅固であるが、反面、開封時にミシン糸を例えば断続的に切って引き抜く等の作業を伴う結果、従来品によると袋の開封作業が面倒で簡便迅速にできないという問題点があった。
【０００４】
本発明は、このような従来品の問題点を解消しようとするものである。
従って本発明の技術的課題は、開封時に不純物が侵入することを防止でき、開封作業を簡便迅速にできながら、封鎖状態も堅固且つ確実にできるよう形成した袋の封鎖装置を提供することにある。
【０００５】
【課題を解決するための手段】
本発明は、上記の課題を解決するために次のような技術的手段を採る。
【０００６】
即ち本発明は、収納物充填後の袋１を口を上にした状態で懸吊状に挟持して搬送する前後一対の無端状のキャリヤチェーン２と、このキャリヤチェーン２で搬送される袋１の上端部１ａを馬形状にテーピングするテーピング機構１４とを備えた袋の封鎖装置において、上記テーピング機構１４の前段の装置本体位置に袋１の上端部１ａを折返す折返し機構１１が設けられ、この折返し機構１１が、袋１の上端部１ａに折返し用の筋目１ｂを水平状に付ける前後一対のローラ１２と、このローラ１２で付けられた筋目１ｂを介して袋１の上端部１ａを折返す折曲げホーマー１３と、キャリヤチェーン２に連動して前後一対のローラ１２を回転させる伝動機構１５とを備えて形成され、上記のローラ１２が、周面にエッジ１２ａが鍔状に形成された一方のローラ１２Ａと、このローラ１２Ａの上記エッジ１２ａが係合する溝１２ｂが周面に環状に形成された他方のローラ１２Ｂとでなることを特徴とする。
【０００７】
【作用】
本発明装置では、収納物充填後の袋１がキャリヤチェーン２で搬送されながら、先ず折返し機構１１で袋１の上端部１ａが筋目１ｂから折返され、次にこの袋１の上端部１ａがテーピング機構１４でテーピングされるものである。
【０００８】
【実施例】
以下、本発明の好適な一実施例を添付図面に従って説明する。
１は収納物充填後の袋、２はこの袋１を口を上にした状態で懸吊状に挾持して搬送する前後一対の無端状のキャリヤチェーンである。このキャリヤチェーン２は、図５等に示される如く、搬送時に袋１の側面に当接するプレート片２ａを側部に多数備えて形成されている。尚３（図１参照）はこのキャリヤチェーン２の駆動源としての減速機付きモータであり、２ｂ（図２参照）はキャリヤチェーン２の入口側に設けられた前後一対のガイド枠である。
【０００９】
４は、前後一対のプレヒータである。このプレヒータ４は、袋１の上端部１ａを通す隙間をあけて平行且つ水平に配置されている。
又５は、上記のプレヒータ４で加熱した袋１の上端部１ａを押圧する前後一対のローラである。このローラ５は、この実施例では減速機付きモータ６で回転するよう形成されている。
【００１０】
７（図１Ａ、図４参照）は、袋１の上端部１ａを前後一対の押圧ローラ８で押圧しながら、不要部分をカットするトリミングカッターである。９は、キャリヤチェーン２に連動して押圧ローラ８を回転させる前後一対の伝動機構である。
【００１１】
又１０は、上記のカッター７で切断したカット片を加圧空気で強制的に除去する為の送風機である。１０ａは、この送風機１０からの加圧空気を導く通風管である。この通風管１０ａの排出口１０ｂは、装置本体の前方側に開口されている。
【００１２】
１１は、袋１の上端部１ａを折返す折返し機構である。この折返し機構１１は、袋１の上端部１ａに折返し用の筋目１ｂを水平状に付ける前後一対のローラ１２と、このローラ１２で付けられた筋目１ｂを介して袋１の上端部１ａを折返す折曲げホーマー１３とで形成され、後述するテーピング機構１４の前段の装置本体位置に設けられている。
【００１３】
上記のローラ１２は、図５等に示される如く、周面にエッジ１２ａが鍔状に形成された一方のローラ１２Ａと、このローラ１２Ａの上記エッジ１２ａが係合する溝１２ｂが周面に環状に形成された他方のローラ１２Ｂとでなる。尚この実施例では、エッジ１２ａと溝１２ｂとがローラ１２Ａ、１２Ｂの上下位置に夫々形成され、上端部１ａの二回折りにも対応できるよう形成されている。
【００１４】
１５（図４、図５参照）は、キャリヤチェーン２に連動して上記前後一対のローラ１２を回転させる伝動機構である。この伝動機構１５は、キャリヤチェーン２に歯合されたスプロケット１５ａと、このスプロケット１５ａと軸１５ｂを介して一体且つ同心状に設けられた上部スプロケット１５ｃと、このスプロケット１５ｃと他方のローラ１２Ｂに同心状に設けられたスプロケット１５ｄとの間に装架されたチェーン１５ｅと、又互いに歯合された歯車１５ｆ・１５ｇとで形成されている。この歯車１５ｆ・１５ｇは、上記のローラ１２Ｂ、１２Ａに一体且つ同心状に設けられている。
【００１５】
上記の折曲げホーマー１３は、図４〜図７に示される如く、袋１の移動につれてその上端部１ａを下方に折り曲げる傾斜庇片１３ａが形成されたホーマー本体１３Ａと、このホーマー本体１３Ａと協働して袋１の上端部１ａを折返す補助用ホーマー１３Ｂとで形成されている。補助用ホーマー１３Ｂは、図７に示される如く、ホーマー本体１３Ａの立下げ片１３ｂと取付枠１６との間に立上がり片１３ｃが納まるよう配設されている。
【００１６】
１４（図１参照）は、袋１の上端部１ａを馬形状にテーピングするテーピング機構である。このテーピング機構１４は、ロール状の紙テープ１８と、この紙テープ１８を袋１の上端部１ａに馬形に装着させる装着枠１９と、この装着枠１９で袋１の上端部１ａに装着された紙テープ１８を袋１の横幅に応じて切断するカッター機構２０と、このカッター機構２０でカットされた紙テープ１８を加熱する前後一対のヒータ２１と、更にこの紙テープ１８を押圧して袋１の上端部１ａに熱融着させる前後一対の圧着ローラ２２とを備えてなる。
【００１７】
上記の紙テープ１８は、内面がラミネート加工され熱融着式に形成されている。
上記の装着枠１９は、図８〜図１０に示される如く、内側に袋１の上端部１ａを案内して通す断面逆Ｕ字状の案内枠１９ａを備えてなる。
【００１８】
又上記のカッター機構２０は、図１１、図１２に示される如く、袋１の通過を検出する検出杆２０ａと、この検出杆２０ａの回動作用でオンオフするリミットスイッチ２０ｂと、このリミットスイッチ２０ｂがオンになると駆動するソレノイド２０ｃと、このソレノイド２０ｃが駆動すると作動杆２０ｄを介して回転ローラ２０ｅに押し付けられるローラ２０ｆと、又ソレノイド２０ｃのオフによって動作するカッター用ソレノイド２０ｇと、このソレノイド２０ｇによって紙テープ１８をカットするカッター２０ｈとを備えてなる。尚２０ｉは、検出杆２０ａを常時牽引するバネ、２０ｊ（図１２参照）はカッター２０ｈの枢着部である。
【００１９】
上記の回転ローラ２０ｅは、キャリヤチェーン２に連動して回転するよう伝動機構２０ｋを備えてなる。
上記のヒータ２１は、袋１の上端部１ａを通過させるだけの隙間をあけて平行且つ水平に配置されている。
【００２０】
又上記前後一対の圧着ローラ２２は、例えばゴムローラで形成され、図１３、図１４に示される如く、伝動機構２２ａでキャリヤチェーン２に連動して回転するよう形成されている。２２ｂは、圧着ローラ２２の上部に同心且つ一体にしかも互いに歯合されて配設された歯車、２２ｃはキャリヤチェーン２に歯合するスプロケット、２２ｄはこのスプロケット２２ｃと同軸に形成された上部スプロケット、２２ｅは一方の圧着ローラ２２のスプロケット２２ｆとの間に装架されたチェーンである。
【００２１】
尚この実施例では、図１Ｂに示される如く、袋１の底を支承できるよう、上記の各ヒータ４、２１等が配置されたテーブル２３の下方に、コンベア２４が設けられている。又テーブル２３は、高さ調節用ハンドル２５（図２参照）を操作することで昇降動作自在に形成されている。尚２６（図１、図２参照）は、制御盤である。
【００２２】
次にこの実施例の作用を説明する。
先ず本発明装置では、袋１がキャリヤチェーン２で搬送されながら、プレヒータ４で加熱され、ローラ５、８で袋１の上端部１ａが押圧されながらトリミングカッター７で不要な上部がカットされる。そしてカット片は、送風機１０の風圧で通風管１０ａ内を流れ、排出口１０ｂから排出される。
【００２３】
次に前後一対のローラ１２の間に袋１の上端部１ａが送り込まれると、この前後一対のローラ１２は、伝動機構１５により一方のローラ１２Ａが反時計方向、他方のローラ１２Ｂが時計方向に回転しながら、袋１の上端部１ａに筋目１ｂが付けられる。そして袋１の上端部１ａは、この筋目１ｂから折曲げホーマー１３で折返される。
【００２４】
その後、袋１が更に搬送されると、検出杆２０ａがバネ２０ｉの弾発力に抗して押され、回動する。その結果リミットスイッチ２０ｂがオンになり、ソレノイド２０ｃが駆動する。すると作動杆２０ｄを介してローラ２０ｆが固定側の回転ローラ２０ｅに押し付けられ、袋１は押圧されながら送られる。そして袋１が検出杆２０ａの位置より更に移動すると、袋１による検出杆２０ａの当圧状態が解除される結果、検出杆２０ａが復元し、リミットスイッチ２０ｂがオフになる。するとソレノイド２０ｃの駆動が停止し、このソレノイド２０ｃからの信号でカッター用ソレノイド２０ｇが駆動する。その結果カッター２０ｈが枢着部２０ｊを軸にして回動し、その下端で紙テープ１８を切断する。その後、袋１がヒータ２１に送られると、このヒータ２１で紙テープ１８の内面にコーティングされている熱融着性樹脂が溶け、次いで圧着ローラ２２で袋１の上端部１ａに圧着され、テーピング作業が終了する。
【００２５】
【発明の効果】
以上説明したように本発明は、収納物充填後の袋の上端部を折返し機構で折返した後、テーピングするよう形成したものである。
従って本発明によれば、従来品のようにミシン糸で縫合するものではないから、開封時に糸屑等が侵入することを防止でき、又ミシン糸を切断する作業を伴うことなく開封できるから開封作業を簡便迅速にでき、しかも折返した状態でテーピングする為、堅固且つ確実に封鎖でき、封鎖状態の低下を来すこともないという優れた効果を奏する。
【００２６】
又本発明は、折返し機構が、キャリヤチェーンに連動して前後一対のローラを回転させる伝動機構を備えて形成されているから、ローラを回転させる為の例えばモータを省略でき、その分コストの低廉化を図れるという利点がある。
【図面の簡単な説明】
【図１】本発明装置の好適な一例を示し、Ａは平面から見た構成図、Ｂは正面から見た構成図である。
【図２】同上装置の右側面図である。
【図３】同上装置の平面から見た要部構成図である。
【図４】同上装置の平面から見た要部構成図である。
【図５】図４のＶーＶ線から見た要部構成図である。
【図６】図４のＶＩーＶＩ線から見た要部構成図である。
【図７】図６の  ＶＩＩーＶＩＩ  線から見た要部構成図である。
【図８】テーピング機構の要部を示す正面から見た構成図である。
【図９】図８のＩＸーＩＸ線から見た要部構成図である。
【図１０】図８のＸーＸ線から見た要部構成図である。
【図１１】テーピング機構の要部を示す平面から見た構成図である。
【図１２】図１１のＸＩＩ  ーＸＩＩ  線から見た要部構成図である。
【図１３】テーピング機構の要部を示す平面から見た構成図である。
【図１４】図１３のＸＩＶ  ーＸＩＶ  線から見た要部構成図である。
【符号の説明】
１    袋
１ａ  上端部
１ｂ  筋目
２    キャリヤチェーン
１１  折返し機構
１２  前後一対のローラ
１２Ａ  一方のローラ
１２ａ  エッジ
１２Ｂ  他方のローラ
１２ｂ  溝
１３  折曲げホーマー
１４  テーピング機構
【図１】
0003581875.tif 000002
【図２】
0003581875.tif 000003
【図３】
0003581875.tif 000004
【図４】
0003581875.tif 000005
【図５】
0003581875.tif 000006
【図６】
0003581875.tif 000007
【図７】
0003581875.tif 000008
【図８】
0003581875.tif 000009
【図１０】
0003581875.tif 000010
【図９】
0003581875.tif 000011
【図１１】
0003581875.tif 000012
【図１２】
0003581875.tif 000013
【図１３】
0003581875.tif 000014
【図１４】
0003581875.tif 000015